(57)【特許請求の範囲】
【請求項１】
遊技盤上の遊技領域内に遊技球を受け入れる役物が配設されてなるパチンコ遊技機において、
該役物内に進入した遊技球の画像を動画で撮像する撮像手段が配設され、該撮像手段によって撮像された画像を表示する表示器が設けられ、該役物内に遊技球の進入を検出する入賞検出器が設けられ、該撮像手段が撮像した画像データを記憶する画像記憶手段が設けられ、該遊技球が該役物内に進入したときから所定時間或いは該役物から排出されるときまで、前記撮像手段が該遊技球の画像を動画で撮像して該表示器に表示し、該遊技球が特定の入賞口に入賞して特典が付与されたとき、該画像記憶手段から該画像データを読み出して当該画像を再び該表示器に表示することを特徴とするパチンコ遊技機。
【請求項２】
前記撮像手段が半導体撮像素子を用いて構成され、該撮像手段が前記役物内に配設されたことを特徴とする請求項１記載のパチンコ遊技機。
【請求項３】
前記表示器が遊技盤の遊技領域内に設けられたことを特徴とする請求項１記載のパチンコ遊技機。
【発明の詳細な説明】
【０００１】
【発明の属する技術分野】
本発明は、遊技盤上の遊技領域内に遊技球を受け入れる役物が配設されてなるパチンコ遊技機に関し、特に役物内の遊技球の動きを撮像手段により撮影し、その画像を表示器に表示して、遊技球が入賞口に向かう際の動きを遊技者が見て入賞の過程を楽しむことができるパチンコ遊技機に関する。
【０００２】
【従来の技術】
従来、複数の入賞口を有した役物内に進入した遊技球が、何れの入賞口に入るか否かによって、遊技者に大当りなどの特典を付与するか否かを決定するパチンコ遊技機が知られている（例えば特開平６−７５４０号公報等参照）。この種のパチンコ遊技機は、遊技盤上に発射された遊技球がその役物の内部に進入すると、遊技球の転がり具合に応じて、大当りなどの特典につながる特定入賞口に入るか、或いは通常の入賞口に入るかを分別する機能を持った役物が遊技盤上に配設されて構成される。
【０００３】
【発明が解決しようとする課題】
しかし、この種の役物内での遊技球の動きは、遊技者にとっては特典が与えられるか否かを決定する重要なファクターになっており、非常に興味を惹かれるにも拘らず、役物の内部で転動する遊技球の動きは、遊技者には見えにくく、大当りとなるか単なる入賞に至るかの過程が分かりにくく、パチンコゲームの面白さが半減し、遊技への興趣が低下する問題があった。
【０００４】
本発明は、上記の点に鑑みてなされたもので、役物の内部での遊技球の動きを遊技者に対し見やすく表示して、遊技者のパチンコゲームに対する興趣を向上させることができるパチンコ遊技機を提供することを目的とする。
【０００５】
【課題を解決するための手段】
上記目的を達成するために、本発明のパチンコ遊技機は、遊技盤上の遊技領域内に遊技球を受け入れる役物が配設されてなるパチンコ遊技機において、役物内に進入した遊技球の画像を動画で撮像する撮像手段が配設され、撮像手段によって撮像された画像を表示する表示器が設けられ、役物内に遊技球の進入を検出する入賞検出器が設けられ、撮像手段が撮像した画像データを記憶する画像記憶手段が設けられ、遊技球が役物内に進入したときから所定時間或いは役物から排出されるときまで、撮像手段が遊技球の画像を動画で撮像して表示器に表示し、遊技球が特定の入賞口に入賞して特典が付与されたとき、画像記憶手段から画像データを読み出して当該画像を再び表示器に表示することを特徴とする。
【０００６】
ここで、上記撮像手段は半導体撮像素子を用いて構成することができ、それは役物内に配設することができる。また上記表示器は遊技盤の遊技領域内に設けることができる。
【０００９】
【作用】
このパチンコ遊技機では、遊技中に、発射された遊技球が役物内に入ると、例えば、役物が、その中に入った遊技球の進み先が特定入賞口か或いは通常の入賞口かに応じて遊技者に付与する特典を決めるために、遊技球の進行先を分ける分別装置である場合、役物内に入った遊技球は分別部上を転動し、そこで分別されて各分別先に排出されるまでの間、撮像手段によりその遊技球の画像が動画で撮像され、その画像が表示器に表示される。
【００１０】
したがって、遊技者は、役物内に遊技球が進入したとき、見にくい役物内を凝視しなくても、表示器に表示される遊技球の動きつまり遊技球が分別される過程を容易に見ることができ、遊技球が特典付与の特定入賞口に入賞するのか、通常の普通入賞口に入るのかを、興味をもって面白く見ることができる。
【００１１】
撮像手段は、ＣＣＤ、ＣＭＯＳなどの半導体撮像素子を用いて構成すれば、極めて小形化が可能で、狭い役物内に撮像手段を配設することができる。また、表示器は遊技盤の遊技領域内に配置すれば、遊技者は容易にこれを見ることができる。さらに、役物内に遊技球が進入したときから、所定時間或いは遊技球が排出されるまでを撮像し表示するように構成すれば、必要な画像のみを撮像して遊技者に対し表示することができる。
【００１２】
【発明の実施の形態】
以下、本発明の実施の形態を図面に基づいて説明する。図１はパチンコ遊技機の正面図を示している。図において、１はパチンコ機の木枠で、木枠１の前には前面枠２が蝶番を介して開閉可能に装着され、前面枠２の前面にはガラス扉５を開閉可能に設けた金枠が取り付けられ、前面枠２の内側に遊技盤３が着脱可能に取り付けられる。また、遊技盤３の背面側に合成樹脂製の機構板がヒンジを介して回動可能に装着される。
【００１３】
ガラス扉５の下側に、前板７が図示しない発射レールや打球杆を覆うように開閉可能に装着され、前板７の前面には打球供給皿６が設けられる。更に、前面枠２の下部に、打球発射装置の一部を構成する打球発射ハンドル９が設けられると共に、打球供給皿６で貯留できなくなった賞球を貯留する下皿３８が設けられる。
【００１４】
遊技盤３の前面には、遊技領域３ａが外レール４ａと内レール４ｂによって区画されて形成され、打球発射装置によって発射された遊技球を遊技領域３ａ内に導き、下方に落下させる。この遊技領域３ａの略中央に、役物として分別装置１０が配設される。分別装置１０は、遊技球を受け入れ、その転がり具合に応じて、特典（大当り）か通常入賞かを分別する。すなわち、分別装置１０は、大当り用の特定入賞孔１４に入るか、通常の普通入賞孔１５，１６に入るかによって、大当りか通常入賞かを分別する機能を持った役物であり、上部に入口となる入賞口１１が配設され、入賞口１１から入った遊技球が導入樋１２を通して分別部１３に導入し、分別部１３で入賞状態の振り分けを行うように構成される。
【００１５】
さらに、分別装置１０は、図２に示すように、矩形フレーム内の底部に皿状の分別部１３が固定され、その分別部１３の上方に螺旋状の導入樋１２が入賞した遊技球を上方から導入して分別部１３の上に転動させるように構成される。皿状の分別部１３には遊技球が落下可能な３個の孔が特定入賞孔１４、普通入賞孔１５，１６として形成される。導入樋１２を通して導入された遊技球は、この分別部１３上で旋回しながら転動し、特定入賞孔１４、普通入賞孔１５，１６の何れかの孔に落下する。
【００１６】
螺旋状の導入樋１２の上端は上方に配置された入賞口１１に接続され、入賞口１１に入った遊技球が導入樋１２を通り、分別部１３に導入される。入賞口１１にはそこに入賞した遊技球を検出するために、近接スイッチ、マイクロスイッチ、光電スイッチなどからなる入賞口検出器１８が取り付けられている。さらに、分別装置１０の上部には、導入樋１２上および分別部１３上を転動する遊技球の動画を撮像するために、小形の撮像装置７が下向きに或いは斜め下方を向けて配設されている。
【００１７】
撮像装置７は、小型化されたフルカラーの動画撮影用撮像装置であり、撮像する像の光を入光させる光学系と、光学系を通して入射した画像光を受光するＣＣＤ、ＣＭＯＳなどの半導体撮像素子と、撮像素子を駆動する撮像駆動部と、撮像素子から画像信号を出力する信号出力部とを備えて小形に構成され、分別装置１０内を撮影するように設置される。
【００１８】
分別部１３の特定入賞孔１４の下部には通路１４ａが接続され、通路１４ａの下方に特典（大当り）用の特定入賞口１７が配置され、特定入賞孔１４に落下した入賞球は特定入賞口１７に入る構造である。特定入賞口１７に入賞球が入ると、大当りとなって有利な特典が遊技者に付与され、後述の可変入賞装置９の大入賞口の開閉扉９ａが所定時間だけ開き、多くの遊技球の入賞が可能となる。また、特定入賞口１７の内部には、そこを通過する入賞球つまり大当たりの入賞球を検出するために、大当たり検出器１９が配設される。
【００１９】
一方、分別部１３の普通入賞孔１５，１６の下部に接続された通路には、排出球検出器２０が配設される。排出球検出器２０は分別部１３で分別された遊技球が排出されたことを示す信号を発生し出力する。大当り検出器１９、排出球検出器２０としては、近接スイッチ、マイクロスイッチ、光電スイッチを用いることができる。
【００２０】
遊技盤３の遊技領域３ａ内の中央上部に、上記撮像装置７により撮像した画像を表示するための表示器８が配置される。表示器８は例えばフルカラーの液晶ディスプレイにより構成され、撮像された画像（動画）を表示する。この他、遊技領域３ａには、中間部の両側に通常入賞口２１が配設され、下部に通常入賞口２２が配設され、下部中央にはチューリップ入賞口２３が配設される。さらに、遊技領域３ａの右側下部に、大入賞口を有する可変入賞装置９が設けられる。この可変入賞装置９の大入賞口には、電磁ソレノイド等により開閉可能な開閉扉９ａが設けられ、開閉扉９ａが下側水平状態に開くことにより、多くの遊技球の入賞が可能となる。
【００２１】
図３はパチンコ遊技機に使用される制御系の画像表示機能に関係した一部の構成ブロック図を示している。主制御部となるＣＰＵ２５は、ＲＯＭ２６及びＲＡＭ２７を備え、ＲＯＭ２７に予め記憶されたプログラムに基づき、分別装置１０内に遊技球が進入した際、また、その遊技球の分別に応じて、撮像装置７を動作させ、分別装置１０内の画像を撮影し、表示する。また、撮影された画像を表示器８に表示するために、表示コントローラ２８が設けられる。
【００２２】
表示コントローラ２８は、撮像装置７から出力された画像データを入力し、表示のための同期信号と共に画像信号を表示器７に出力して画像を表示する。表示コントローラ２８には画像データを書き込み読み出し可能に記憶する画像メモリ２９が接続される。画像メモリ２９は、撮像装置７が撮影した画像データをデジタルフレーム画像として記憶し、大当り時には、ＣＰＵ２５の表示指令に基づき、画像メモリ２９内の画像データは読み出され、画像表示に使用される。
【００２３】
次に、上記構成のパチンコ遊技機の動作を図４のフローチャートを参照して説明する。ＣＰＵ２５は、遊技中に、遊技球が入賞口１１に入り、入賞口検出器１８によってそれが検出されると、ステップ１００からステップ１１０に進み、撮像装置７を動作させて、役物の分別装置１０内の撮影を開始する。このとき、撮像装置７により撮像された画像データ、つまり分別装置１０内の導入樋１２や分別部１３上を撮影した画像データが表示コントローラ２８に送られ、表示コントローラ２８の動作により、表示器８に分別装置１０内の画像が表示される。また、その画像データは、画像メモリ２９に一時記憶される。
【００２４】
このように、本パチンコ遊技機では、入賞口１１に遊技球が入賞し、分別装置１０内に遊技球が進入すると、撮像装置７が動作して分別装置１０の内部を撮影し、その画像を表示器８に動画で表示するため、遊技者は、通常であれば外からは見にくい分別装置１０の内部を、凝視しなくても容易に見ることができる。このとき、入賞口１１から分別装置１０内に進入した遊技球は、螺旋状の導入樋１２を通り、皿上の分別部１３の上に旋回しながら転動し、転動具合によって、特定入賞孔１４、普通入賞孔１５，１６の何れかの孔に落下するが、遊技者にとっては、遊技球が特定入賞孔１４に入れば、大当りとなり、普通入賞孔１５，１６に入れば、通常の入賞であるから、分別部１３の上を転動する遊技球の動きを、ハラハラどきどきしながら非常に大きな興味を持って見ることになる。したがって、このような分別装置１０内での遊技球の動きを撮像した画像表示により、遊技者には非常に見やすくその遊技球の分別の過程を充分に楽しむことができる。
【００２５】
次に、ステップ１１０からステップ１２０に進み、進入した遊技球がこの分別装置１０から排出されたか否かを判定し、遊技球が分別部１３上を転動した後、特定入賞孔１４に入ってそれが大当り検出器１９により検出され、或いは普通入賞孔１５，１６に入ってそれが排出球検出器２０で検出された場合、分別装置１０から遊技球が排出されたものとして、ステップ１４０に進み、撮像装置７の撮像動作を停止する。
【００２６】
一方、ステップ１２０で、分別装置１０内に進入した遊技球が未だ排出されていないと判定した場合、次に、ステップ１３０に進み、所定時間経過したか否かを判定し、予め設定されている遊技球の分別装置１０内での移動時間が経過しても、遊技球の排出が検出されない場合、ステップ１３０からステップ１４０に進み、撮像装置７の撮影を停止する。
【００２７】
そして、次に、ステップ１５０に進み、大当りか否かを判定する。分別部１３上を転動した遊技球が特定入賞孔１４に入り、そこから特定入賞口１７を通過し、大当り検出器１９によって大当りが検出された場合、ステップ１５０で大当りと判定し、次にステップ１７０に進む。ステップ１７０では、今回の遊技球の分別装置内への進入に伴って撮影した画像の画像データを、画像メモリ２９から読み出し、再び表示器８にその画像を表示する。これにより、遊技者は大当り状態になった際には、表示器８上で大当りとなった遊技球の動きを再び画面上で見ることになり、大当りとなった遊技球の動きを再現するような画面を楽しむことができる。なお、大当り状態になると、可変入賞装置９がその大入賞口の開閉扉９ａを所定の時間開放し、多くの遊技球が入賞可能となる。
【００２８】
そして、次にステップ１８０に進み、大当り動作が終了した場合には、次のステップ１９０に進んで、大当たり時の遊技球の転動を再生表示する表示器８の表示動作を終了する。一方、上記ステップ１５０で、大当りではなく、通常の入賞であると判定した場合、次にステップ１６０に進み、表示器８への画像表示を終了する。
【００２９】
このように、遊技者は、本来ならば見えにくい役物の内部つまり分別装置１０の内部を撮影した画像を表示器８上で見ることができるから、分別装置１０内の遊技球の動きを外側から凝視して見ることなく、分別装置１０内に入った遊技球がどのような動きをして特定入賞口１７に送られて大当りとなるのか、或いは普通入賞孔に入って通常の入賞となるのかの過程を、表示器８に表示される画像でみながら、楽しむことができる。
【００３０】
なお、上記実施形態では、役物として分別装置１０を例に挙げて説明したが、分別装置以外の役物内に進入した遊技球の動きを撮像装置で撮影することもでき、また、上記表示器８は遊技領域３ａ内に配設したが、遊技機の前面であれば遊技領域外に設けることも可能である。また、分別装置１０内には照明装置を取り付け、遊技球が内部に進入した際、照明装置を点灯し、明るく見やすい画面を表示器に表示することもできる。
【００３１】
【発明の効果】
以上説明したように、本発明のパチンコ遊技機によれば、遊技中の遊技者は、本来ならば見にくい役物内の遊技球の動きを、それを撮影した画像を表示する表示器上で見ることができるから、役物内の遊技球の動きを外側から凝視して見ることなく、役物内に入った遊技球がどのような動きをして大当りとなるのか、或いは通常の入賞となるのかの過程を、表示器に表示される画像で見ながら、楽しむことができ、遊技者のパチンコゲームに対する興趣を向上させることができる。
【図面の簡単な説明】
【図１】本発明の一実施形態を示すパチンコ遊技機の正面図である。
【図２】分別装置１０の拡大斜視図である。
【図３】制御系のブロック図である。
【図４】撮像した画像の表示動作を示すフローチャートである。
【符号の説明】
３−遊技盤
３ａ−遊技領域
７−撮像装置
８−表示器
１０−分別装置
１１−入賞口
１２−導入樋
１３−分別部
１７−特定入賞口
２０−ＣＰＵ
２８−表示コントローラ
２９−画像メモリ
【図１】
0003878028.tif 000002
【図２】
0003878028.tif 000003
【図３】
0003878028.tif 000004
【図４】
0003878028.tif 000005